(57)【要約】【課題】  トラクタの後側部に装着の耕耘爪ロータによって耕耘する耕耘土壌面を、培土器乃至畦立器等によって、この耕耘幅よりも広い広幅畝を形成する場合は、トラクタの後部に培土器を装着して培土畝立作業を広幅間隔に、前記耕耘作業行程とは独立行程として行うため多くの作業行程を要し、非能率的である。【解決手段】  耕耘爪１ロータ２の一側後部のリヤカバー３の下面に、この耕耘爪ロータ２によって耕耘される耕耘土壌の横端部を内側へ培土する片培土器４と、この片培土器４の後側に取付けられて培土溝部の土壌を左右両側へ培土案内する培土板５と溝尾輪２５を設けて畝立装置６を構成し、この畝立装置６の往復作業走行により耕耘爪ロータ２幅よりも広幅域の畝立成形を行う。【選択図】  図１
2014033636.tif 000002
【特許請求の範囲】
【請求項１】
耕耘爪（１）ロータ（２）の一側後部のリヤカバー（３）の下面に、このロータ（２）によって耕耘される耕耘土壌の横端部を内側へ培土する片培土器（４）と、この片培土器（４）の後側に取付けられて培土溝部の土壌を左右両側へ培土案内する培土板（５）を設けて畝立装置（６）を構成し、この畝立装置（６）の後側部の左右培土板（５）後端部間の溝床面に接地支持する溝尾輪（２５）を設けて、この畝立装置（６）の往復作業走行により耕耘爪ロータ（２）幅よりも広幅域の畝立成形することを特徴とする広幅畝成形装置。
【請求項２】
前記溝尾輪（２５）は、畝立装置（６）の後側部の左右培土板（５）間の溝床面幅域に亘って幅広く接地支持の広幅輪形態とすることを特徴とする請求項１に記載の広幅畝成形装置。
【請求項３】
前記耕耘ロータ（２）のリヤカバー（３）の後側部であって、前記畝立装置（６）、及び溝尾輪（２５）側と反対の側には、耕耘畝立て土壌面に接地支持する畝尾輪（５０）を設けたことを特徴とする請求項１、又は２に記載の広幅畝成形装置。
【請求項４】
前記畝尾輪（５０）は、溝尾輪（２５）の幅よりも狭くして接地支持する狹幅輪形態とすることを特徴とする請求項１、２、又は３に記載の広幅畝成形装置。
【請求項５】
前記左右両側部に配置の溝尾輪（２５）、及び畝尾輪（５０）を昇降調節可能の溝尾輪ハンドル（５１）、及び畝尾輪ハンドル（５２）を設けたことを特徴とする請求項１、２、３、又は４に記載の広幅畝成形装置。
【発明の詳細な説明】
【技術分野】
【０００１】
トラクタの耕耘爪ロータによって耕耘される土壌面を、簡単な片培土器の装着によって広幅畝形態に安定成形する広幅畝成形装置に関する。
【背景技術】
【０００２】
圃場面の畦際土壌の一部を畦法面部へ移動させて畦塗器によって畦塗成形する技術（例えば、特許文献１参照）や、トラクタ耕耘ロータの後部に複数の畦立器を設けて複数条の畝条を作成する技術（例えば、特許文献２参照）等がある。
【先行技術文献】
【特許文献】
【０００３】
【特許文献１】特開２００８ー２３７０６０号公報
【特許文献２】特開２００２ー２６２６０１号公報
【発明の概要】
【発明が解決しようとする課題】
【０００４】
トラクタの後側部に装着の耕耘爪ロータによって耕耘する耕耘土壌面を、培土器乃至畦立器等によって、適宜幅の藩種畝、栽培畝等を形成する場合は、各畝幅が耕耘爪ロータによる耕耘幅よりも狭い領域に設定される形態となるもので、この畝幅を耕耘幅よりも広く形成する場合は、複条行程の耕耘行程による平耕耘作業を行った耕耘作業行程後に、トラクタの後部に培土器を装着して培土畝立作業を広幅間隔に、前記耕耘作業行程とは独立行程として行うため多くの作業行程を要し、非能率的である。
【課題を解決するための手段】
【０００５】
請求項１に記載の発明は、耕耘爪１ロータ２の一側後部のリヤカバー３の下面に、この耕耘爪ロータ２によって耕耘される耕耘土壌の横端部を内側へ培土する片培土器４と、この片培土器４の後側に取付けられて培土溝部の土壌を左右両側へ培土案内する培土板５を設けて畝立装置６を構成し、この畝立装置６の後側部の左右培土板５後端部間の溝床面に接地支持する溝尾輪２５を設けて、この畝立装置２５の往復作業走行により耕耘爪ロータ２幅よりも広幅域の畝立成形を行うことを特徴とする広幅畝成形装置の構成とする。
【０００６】
トラクタ車体の後部に装着の耕耘爪ロータ２の左、右いずれか一側後部のリヤカバー３の下面部に片培土器４や、培土板５を配置し、又は取付けて、これら各耕耘詰めロータ２や、方培土器４、及び培土板５等の重量、乃至作業押圧力を、左右培土板５後端部間の溝尾輪２５を介して培土溝床面部に押圧支持させて、耕耘走行しながら培土作業を行う。このとき往行程で行われる耕耘爪ロータ２による耕耘幅の土壌面の一側の畝立装置６の位置する側（左側）の土壌面が、この畝立装置６による培土作用を受けて片培土作用が行われる。即ち、耕耘土壌面の左側横端部が片培土器４によって培土されて、培土溝部の土壌が右側の耕耘幅中央部側へ培土されて、リヤカバー３によって上面を鎮圧均平しながら往行程の片側畝を形成する。
【０００７】
次に、復行程においては、前記左側の片培土した耕耘土壌面幅域の培土溝部側とは反対側（右側）に隣接する未耕耘域の土壌面を、折返して復行程を耕耘走行し畝立作業することによって、前記往行程時と同様に耕耘、片培土作用が行われ、しかも、この片培土作用は、前記往行程における培土位置とは反対側の位置において同様に行われるため、往行程と復行程との耕耘土壌面は相互に同一耕耘土壌面状に連続した耕耘土壌面として広幅形態に形成され、この広幅（耕耘爪ロータ幅の二倍幅）の耕耘土壌面の左、右両側端部に沿って各片培土器４、培土板５、及び溝尾輪２５等による培土作用が行われる。従って、これら片培土器４、培土板５、及び溝尾輪２５は、ロータ２のリヤカバー３の一側端部に取付け、又は位置させた状態のままで、単に耕耘土壌面を往復耕耘走行することによって広幅の畝立成形を行うことができる。しかも、これら左右両側部の培土板５や、この後端部間の溝尾輪２５等による押圧力によって、培土溝法面や、溝床面等を安定した形態に押し固める。
【０００８】
請求項２に記載の発明は、前記溝尾輪２５は、畝立装置６の後側部の左右培土板５後端部間の溝床面幅域に亘って幅広く接地支持の広幅輪形態とする。
前記片培土器４、及びリヤカバー３等を装着する耕耘爪ロータ２は、この耕耘爪ロータ２の回転駆動によって耕耘される耕耘土壌面を鎮圧しながら均平形成すると共に、この土壌を片培土器４によって培土する。従って、このリヤカバー３の下面に装着されて耕耘土壌面を片培土する土壌面をも、このリヤカバー３によって鎮圧しながら均平化して、前記片培土器４による培土跡の培土溝部の法面を培土板５の培土作用によって、崩れを少くするように形成し、更に、この片培土器４によって形成される培土溝部の土壌面を後側の培土板５によって左、右へ培土成形し、このような耕耘爪ロータ２や、リヤカバー３、片培土器４、及び培土板５等の重力や、作業押圧力等を、広幅の溝尾輪２５によって成形される培土溝床幅域一杯に亘って働かせて、溝幅全面を広く押圧して締め固めるように形成し、これら溝尾輪２５や、左右両側部の培土板５等によって、左右方向の蛇行を規制して、培土作用を円滑に行わせることができ、培土溝部の仕上げをきれいに、良好に行わせることができ、より安定した培土溝部を形成する。
【０００９】
請求項３に記載の発明は、前記耕耘ロータ２のリヤカバー３の後側部であって、前記溝尾輪２５、及び畝立て装置６と反対の側には、耕耘畝立て土壌面に接地支持する畝尾輪５０を設ける。
【００１０】
前記片培土器４、及びリヤカバー３等を装着する耕耘爪ロータ２は、この耕耘爪ロータ２の回転駆動によって耕耘される耕耘土壌面を鎮圧しながら均平に形成すると共に、この土壌を片培土器４によって培土するが、これら耕耘爪ロータ２、及び片培土器４によって耕耘成形される広幅耕耘土壌面部には、左右一側端部の培土溝部の低位置に溝尾輪２５で支持し、他側端部の培土畝上面であって、往復耕耘作業行程によって畝幅の略中央部に位置する高位置に、畝尾輪５０で支持する。このように、耕耘ロータ２装置の後側部は、左右、及び高低位置の異なる溝尾輪２５と、畝尾輪５０とで支持するもので、培土作用抵抗の大きく働く溝尾輪２５の接地支持位置を、低位置で硬い培土溝床面に支持させると共に、畝尾輪５０を柔らかい耕耘畝上面に軽く支持させて、耕耘爪ロータ２、及びリヤカバー３等による耕耘土畝面を左右水平状形態に形成する。
【００１１】
請求項４に記載の発明は、前記畝尾輪５０は、溝尾輪２５の幅よりも狭くして接地支持する狹幅輪形態とする。
前記のように広幅畝成形装置の左右両端部を走行支持する溝尾輪２５と、畝尾輪５０とは、回転接地幅を大小異にして設定しており、溝尾輪２５の接地幅を広くして、重くて作業抵抗力の大きい片培土器４設置側の重量を安定した状態に支持し、培土溝床幅全面を滑面に仕上げると共に、この畝立土壌面の略中央部に位置して接地支持する畝尾輪５０の接地幅を狭くして、必要以上に柔らかい耕耘畝上面を過度に鎮圧して掻き乱したり、崩すことのないようにしたもので、きれいな畝成形仕上げを行うものである。
【００１２】
請求項５に記載の発明は、前記広幅畝成形装置は、前記左右両側部に配置の溝尾輪２５、及び畝尾輪５０を昇降調節可能の溝尾輪ハンドル５１、及び畝尾輪ハンドル５２を設ける。
【００１３】
前記のように片培土器４を有した耕耘爪ロータリ２、及びリヤカバー３による広幅畝成形装置では、耕耘爪ロータ２による耕耘深さや、片培土器４による培土深さ、乃至、畝立て高さ等によって、左右の溝尾輪２５、畝尾輪５０の設定位置や、これら両尾輪２５、５０相互間の高さ位置が変わるために、溝尾輪２５は溝尾輪ハンドル５１を操作して昇降調節し、畝尾輪５０は畝尾輪ハンドル５２を操作して昇降調節する。
【発明の効果】
【００１４】
請求項１に記載の発明は、耕耘爪ロータ２による耕耘片培土作業を、往復耕耘行程によって各々行わせることにより、該ロータ２幅よりも広い広幅の耕耘幅として、この耕耘幅の両側に沿って片培土器４、培土板５、及びこの左右培土板５間の溝尾輪２５等による培土溝部を形成して、広幅域の畝立土壌面を安定形成することができる。このとき、片培土器４の後側部には、左右両側の培土板５と、この後端部間の溝尾輪２５とを配置して、培土溝部を形成するものであるから、この溝尾輪２５を培土板５間に形成される培土溝床面に強く押しつけるように接地支持させて、左右培土板５を溝法面に圧接摺動させることができ、押し固めた安定した畝立溝部の溝床面や溝法面を形成することができる。
【００１５】
しかも、前記片培土板４を耕耘爪ロータ２の後部のリヤカバー３の下側に配置するため、この後側に配置する培土板５や溝尾輪２５等を前側の方培土器４に接近させて設定することができ、前記耕耘爪ロータ２からこの溝尾輪２５に亘る接地作業工程部の前後長を短くして作業操作を簡単、容易に行うことができる。
【００１６】
又、この耕耘爪ロータ２のリヤカバー３の一側端部下面に位置して配置の片培土器４や、培土板５、溝尾輪２５等は、往、復行程度共に定位置に設定された状態にあるから、片培土器を着脱したり、取付位置を切替えたりする等の特別の培土作業操作等を要することなく、簡単で安定した構成とし、及び、培土作業を容易に行わせることができ、作業性を高めることができる。
【００１７】
請求項２に記載の発明は、前記溝尾輪２５は、畝立装置６の後側部の左右培土板５後端部間の溝床面幅域に亘って幅広く接地支持の広幅輪形態とするものであるから、前記片培土器４、及びリヤカバー３等を装着する耕耘爪ロータ２は、この耕耘爪ロータ２の回転駆動によって耕耘される耕耘土壌面を鎮圧しながら均平に形成すると共に、この土壌を片培土器４によって培土する場合に、この溝尾輪２５を強く培土溝底面に押付け操作することができ、前記片培土器４による培土跡の培土溝部の法面を、この培土板５の摺接培土作用を高めることができて、崩れを少くするように形成し、更に、この片培土器４によって形成される培土溝部の土壌面を後側の培土板５によって左、右へ培土成形し、このような耕耘爪ロータ２や、リヤカバー３、片培土器４、及び培土板５等の重力や、作業押圧力等を広幅の溝尾輪２５によって成形される培土溝幅域一杯に亘って溝幅全面を広く押圧して締め固めて、これら溝尾輪２５や、左右両側部の培土板５等の左右方向の蛇行を規制して、培土作用を円滑に行わせることができ、培土溝部の仕上げをきれいに、良好に行わせることができ、より安定した培土溝部を形成することができる。
【００１８】
請求項３に記載の発明は、前記耕耘ロータ２のリヤカバー３の後側部であって、前記溝尾輪２５、及び畝立て装置６と反対の側には、耕耘畝立て土壌面に接地支持する畝尾輪５０を設けるものであるから、前記片培土器４、及びリヤカバー３等を装着する耕耘爪ロータ２は、この耕耘爪ロータ２の回転駆動によって耕耘される耕耘土壌面を鎮圧しながら均平に形成すると共に、この土壌を片培土器４によって培土するが、左右両側の溝尾輪２５と畝尾輪５０とによって支持されて、安定した作業姿勢に支持維持されることができ、作業操作を容易化し、作業性能を高めることができる。又、これら耕耘爪ロータ２、及び片培土器４によって耕耘成形される広幅耕耘土壌面部には、左右一側端部の培土溝部の低位置を溝尾輪２５で強く支持し、他側端部の培土畝上面であって、往復耕耘作業行程によって畝幅の略中央部に位置する高位置を、畝尾輪５０で軽く支持して、作業器位置や、操作形態、乃至土壌の形態や、硬軟状態等に応じて支持することができる。
【００１９】
このように耕耘ロータ２装置の後側部は、左右、及び高低位置の異なる溝尾輪２５と、畝尾輪５０とで支持するもので、培土作用抵抗の大きく働く溝尾輪２５の接地支持位置を、低位置で硬い培土溝床面に支持させて安定させると共に、畝尾輪５０を柔らかい耕耘畝上面に軽く支持させて畝土壌面を崩さないようにするもので、耕耘爪ロータ２、及びリヤカバー３等による耕耘土畝面を左右水平状形態に容易に形成することができる。
【００２０】
請求項４に記載の発明は、前記畝尾輪５０は、溝尾輪２５の幅よりも狭くして接地支持する狹幅輪形態とするものであるから、前記のように広幅畝成形装置の左右両端部を走行支持する溝尾輪２５と、畝尾輪５０とは、回転接地幅を大小異にして設定しており、溝尾輪２５の接地幅を広くして、作業抵抗力の大きい片培土器４設置側の重量を安定した状態に支持し、培土溝床幅全面を滑面に仕上げると共に、この畝立土壌面の略中央部に位置して接地支持する畝尾輪５０の接地幅を狭くして、必要以上に柔らかい耕耘畝上面を鎮圧したり、崩すことのないようにして、きれいな畝成形仕上げをすることができる。
【００２１】
請求項５に記載の発明は、前記左右両側部に配置の溝尾輪２５、及び畝尾輪５０を昇降調節可能の溝尾輪ハンドル５１、及び畝尾輪ハンドル５２を設けることにより、片培土器４を有した耕耘爪ロータリ２、及びリヤカバー３による広幅畝成形装置では、耕耘爪ロータ２による耕耘深さや、片培土器４による培土深さ、乃至、畝立て高さ等によって、左右の溝尾輪２５、畝尾輪５０の設定位置や、これら両尾輪２５、５０相互間の高さ位置に応じて、溝尾輪２５は溝尾輪ハンドル５１を操作して昇降調節して、畝尾輪５０は畝尾輪ハンドル５２を操作して昇降調節して、各別に調節操作し、簡単、迅速に、広幅畝立作業形態に対応することができる。
【図面の簡単な説明】
【００２２】
【図１】広幅畝成形装置部の側面図。
【図２】その平面図。
【図３】その畝装置部の斜視図。
【図４】その平面図（Ａ）、側面図（Ｂ）。
【図５】その培土作業行程を示す正面図。
【図６】別例を示す培土板部例の各側面図（Ａ），（Ｂ），（Ｃ）。
【図７】その左右尾輪部の配置形態を示す背面図（Ａ），（Ｂ），（Ｃ）。
【図８】一部別例の尾輪部の配置形態を示す背面図（Ａ），（Ｂ），（Ｃ），（Ｄ），（Ｅ），（Ｆ）。
【発明を実施するための形態】
【００２３】
図面に基づいて、耕耘爪１を耕耘軸７の周りに配設した耕耘爪ロータ２は、四輪走行形態のトラクタ８の後部に、ロアリンク９、トップリンク１０、及びリフトアーム１１に連結のリフトリンク１２等からなるリフトリンク機構を介して装着されて、この車体１３後部のＰＴＯ軸１４から連動して駆動回転して耕耘することができる。前記耕耘爪ロータ２は、耕耘軸７の左右両端部を軸受けする耕耘軸ケース１５の上端部間に亘って伝動ケース１６を設け、この伝動ケース１６の前側に形成のロアブラケット１７、及びトップブラケット１８を、前記リフトリンク機構の後端部に連結のヒッチリンク１９に係合させて連結する。前記ヒッチリンク１９の上端部のフック２０で、トップブラケット１８のトップピン２１を掬い上げることによって、ロアブラケット１７をヒッチリンク１９に引寄せ接近させて係合連結させることができる。また、前記ロータ２の回転は逆回転駆動させてアップカット形態として耕耘することも可能である。
【００２４】
前記耕耘爪ロータ２の回転上周部を覆うロータカバー２２を有し、このロータカバー２２の後端部にカバーピン２３周りに上下回動可能のリヤカバー３を設けて、ロータ２の回転によって耕耘する耕耘土壌面を鎮圧して均平するように構成している。前記伝動ケース１６の中央部から後方に亘ってリヤフレーム２４を突出して、このリヤフレーム２４の後端部に尾輪２５を有する尾輪フレーム２６を装着する。又、前記リヤフレーム２４と下方のリヤカバー３との間には、スプリング２７等を有するダンパー機構２８を設けて、前記リヤカバー３の後端部を下方へ弾発させている。前記トップブラケット１８とリヤフレーム２４との間には、ハンドル２９によって伸縮調節する伸縮ロッド３０を設けて、リヤフレーム２４の伝動ケース１６部に対する上下位置を調節変更し、培土溝深さ、乃至培土畝高さを調節することができる。
【００２５】
トラクタ８は、車体１３の後端部リヤアクスルハウジング３１により後輪軸３２両端部の後輪３３を軸装し、フェンダー３４上側部には安全フレーム３５を搭載している。
ここにおいて、この広幅畝成形装置は、耕耘爪１を備えるロータ２の一側後部のリヤカバー３の下面に、この耕耘爪ロータ２によって耕耘される耕耘土壌の横端部を内側へ培土する片培土器４と、この片培土器４の後側に取付けられて培土溝部Ａ，Ｂの土壌を左右両側へ培土案内する培土板５を設けて畝立装置６を構成し、この畝立装置６の後側部の左右培土板５後端部間の溝床面に接地支持する溝尾輪２５を設けて、この畝立装置２５の往復作業走行により耕耘爪ロータ２幅よりも広幅域の畝立成形を行う構成とする。
【００２６】
トラクタ車体の後部に装着の耕耘爪ロータ２の左、右いずれか一側後部のリヤカバー３の下面部に片培土器４、及び培土板５を配置し、又は取付けて、これら各耕耘詰めロータ２や、方培土器４、及び培土板５等の重量、乃至作業押圧力を、左右培土板５後端部間の溝尾輪２５を介して培土溝Ａ床面部に押圧支持させて、耕耘走行しながら培土作業を行う。このとき往行程Ｆで行われる耕耘爪ロータ２による耕耘幅Ｌの土壌面の一側の畦立装置６の位置する側（左側）の土壌面が、この畦立装置６による培土作用を受けて片培土作用が行われる。即ち、耕耘土壌面の左側横端部が片培土器４によって培土されて、培土溝部Ａの土壌が右側の耕耘幅中央部側へ培土されて、リヤカバー３によって上面を鎮圧均平しながら往行程Ｆの片側畝を形成する。
【００２７】
次に、復行程Ｒにおいて、前記左側の片培土した耕耘土壌面幅Ｌ域の培土溝部Ａ側とは反対側（右側）に隣接する未耕耘域の土壌面を折返して復行程Ｒを耕耘走行することによって、前記往行程Ｆ時と同様に耕耘、片培土作用が行われ、しかも、この片培土作用は、前記往行程Ｆにおける培土位置とは反対側の位置において同様に行われるため、往行程Ｆと復行程Ｒとの耕耘土壌面Ｄは相互に同一耕耘土壌面状に連続した耕耘土壌面Ｄとした形態に広幅Ｃに形成され、この広幅Ｃ（耕耘爪ロータ幅の二倍幅）の耕耘土壌面Ｄの左、右両側端部に沿って各片培土器４、培土板５、及び溝尾輪２５等による培土作用が行われる。従って、これら片培土器４、培土板５、及び溝尾輪２５は、ロータ２のリヤカバー３の一側端部に取付け、又は位置させた状態のままで、単に耕耘土壌面Ｄを往復耕耘走行することによって広幅Ｃの畝立成形を行うことができる。しかも、これら左右両側部の培土板５や、この間の溝尾輪２５等による押圧力によって、培土溝法面Ｇや、溝床Ｅ面等を安定した形態に押し固めて成形することができる。
【００２８】
又、前記溝尾輪２５は、畝立装置６の後側部の左右培土板５後端部間の溝床面幅Ｅ域に亘って幅広く接地支持の広幅輪形態とする。
前記片培土器４、及びリヤカバー３等を装着する耕耘爪ロータ２は、この耕耘爪ロータ２の回転駆動によって耕耘される耕耘土壌面Ｄを鎮圧しながら均平に形成すると共に、この土壌を片培土器４によって培土する。従って、このリヤカバー３の下面に装着されて耕耘土壌面Ｄを片培土する土壌面をも、このリヤカバー３によって鎮圧しながら均平化して、前記片培土器４による培土跡の培土溝部の法面Ｇを培土板５の培土作用によって、崩れを少くするように形成し、更に、この片培土器４によって形成された培土溝部Ａ，Ｂの土壌面を後側の培土板５によって左、右へ培土成形し、このような耕耘爪ロータ２や、リヤカバー３、片培土器４、及び培土板５等の重力や、作業押圧力等を広幅の溝尾輪２５によって成形される培土溝幅Ｅ域一杯に亘って溝幅全面を広く押圧して締め固めて、これら溝尾輪２５や、左右両側部の培土板５等によって、左右方向の蛇行を規制して、培土作用を円滑に行わせることができ、培土溝部Ａ，Ｂの仕上げをきれいに、良好に行わせることができ、より安定した培土溝部Ａ，Ｂを形成する。
【００２９】
又、前記耕耘ロータ２のリヤカバー３の後側部であって、前記溝尾輪２５、及び畝立て装置６と反対の側には、耕耘畝立て土壌面に接地支持する畝尾輪５０を設ける。
前記片培土器４、及びリヤカバー３等を装着する耕耘爪ロータ２は、この耕耘爪ロータ２の回転駆動によって耕耘される耕耘土壌面Ｄを鎮圧しながら均平に形成すると共に、この土壌を片培土器４によって培土するが、これら耕耘爪ロータ２、及び片培土器４によって耕耘成形される広幅耕耘土壌面部Ｄには、左右一側端部の培土溝部Ａ，Ｂの低位置Ｅに溝尾輪２５で支持し、他側端部の培土畝上面であって、往復耕耘作業行程によって畝幅Ｃの略中央部に位置する高位置Ｄに、畝尾輪５０で支持する。このように、耕耘ロータ２装置の後側部は、左右、及び高低位置の異なる溝尾輪２５と、畝尾輪５０とで支持するもので、培土作用抵抗の大きく働く溝尾輪２５の接地支持位置を、低位置で硬い培土溝Ｅ床面に支持させると共に、畝尾輪５０を柔らかい耕耘畝上面Ｄに軽く支持させて、耕耘爪ロータ２、及びリヤカバー３等による耕耘土畝面Ｄを左右水平状形態に形成する。
【００３０】
又、前記畝尾輪５０は、溝尾輪２５の幅よりも狭くして接地支持する狹幅輪形態とする。
前記のように広幅畝成形装置の左右両端部を走行支持する溝尾輪２５と、畝尾輪５０とは、回転接地幅を大小異にして設定しており、溝尾輪２５の接地幅を広くして、重くて作業抵抗力の大きい片培土器４設置側の重量を安定した状態に支持し、培土溝床幅Ｅ全面を滑面に仕上げると共に、この畝立土壌面の略中央部に位置して接地支持する畝尾輪５０の接地幅を狭くして、必要以上に柔らかい耕耘畝上面を鎮圧したり、崩すことのないようにしたもので、きれいな畝成形仕上げを行うものである。
【００３１】
更には、前記広幅畝成形装置は、前記左右両側部に配置の溝尾輪２５、及び畝尾輪５０を昇降調節可能の溝尾輪ハンドル５１、及び畝尾輪ハンドル５２を設けて各別に操作する。
【００３２】
前記のように片培土器４を有した耕耘爪ロータリ２、及びリヤカバー３による広幅畝成形装置では、耕耘爪ロータ２による耕耘深さや、片培土器４による培土深さ、乃至、畝立て高さ等によって、左右の溝尾輪２５、畝尾輪５０の設定位置や、これら両尾輪２５、５０相互間の高さ位置が変わるために、溝尾輪２５は溝尾輪ハンドル５１を操作して昇降調節し、畝尾輪５０は畝尾輪ハンドル５２を操作して昇降調節する。
【００３３】
前記耕耘爪ロータ２上部のリヤフレーム２４の後端部に尾輪フレーム２６が設けられるが、この尾輪フレーム２６の左右両端部に形成のソケット６０に、溝尾輪２５、畝尾輪５０を下端部に回転自在に軸支した尾輪ロッド６１を差し込んで昇降可能に設定して、各溝尾輪２５、畝尾輪５０を各別に昇降調節することができる。各ソケット６０の上端部には溝尾輪ハンドル５１、畝尾輪ハンドル５２を設けて、これら溝尾輪ハンドル５１によって溝尾輪２５の尾輪ロッド６１を昇降調節し、畝尾輪ハンドル５２によって畝尾輪５０の尾輪ロッド６１を昇降調節することができる。
【００３４】
前記耕耘ロータ１における片培土器４は、耕耘爪１ロータ２の回転後部を覆って上下揺動可能に設けるリヤカバー３の後部下面に取付けて、このリヤカバー３で鎮圧する耕耘土壌を前記片培土器４によって片培土して培土溝部Ａ、Ｂを形成する。
【００３５】
前記片培土器４を装着するリヤカバー３は、耕耘爪ロータ２の上部を覆うロータカバーの後側に上下回動可能に装着されて、耕耘爪ロータ２によって耕耘される耕耘土壌面を鎮圧しながら均平に形成すると共に、この土壌を片培土器４によって培土する。従って、このリヤカバー３の下面に装着されて耕耘土壌面を片培土する土壌面をも、このリヤカバー３によって鎮圧しながら均平化して、培土跡の培土溝部Ａ、Ｂの法面の崩れを少くするように形成し、更に、この片培土器４によって形成される培土溝部の土壌面を後側の培土板５によって左、右へ培土成形して、より安定した培土溝部Ａ、Ｂを形成する。
【００３６】
又、前記培土板５は、前記リヤカバー３の後方位置において、このリヤカバー３下側に位置する片培土器４の後部に取付ける。
前記のように片培土器４は、リヤカバー３の一側端の下面側に設けられているため、この片培土器４によって培土形成される土壌面Ｄの上側面をリヤカバー３で鎮圧して安定した崩れ難い畝立面を形成する。このように片培土器４によって形成された跡の培土溝部Ａ、Ｂは、片培土器４によって培土されない側の土壌や、崩れ落ちた土壌等の残留土壌が、前記リヤカバー３による鎮圧作用を受けない状態の土壌があるが、この培土板５による培土作用を行わせることができるため、培土作用を円滑に行わせることができ、培土溝部Ａ、Ｂの仕上げをきれいに、良好に行わせることができる。
【００３７】
又、前記培土板５は、片培土器４に対して左右外側へ回動可能に設け、培土角度θを拡縮調整可能に設ける。
前記リヤカバー３の下側に位置する片培土器４によって形成される培土溝部Ａ，Ｂにおいて、左右一対の培土器５による培土作用が行われ、安定したきれいな培土溝Ａ，Ｂを成形する。この片培土器４の後側の培土板５はターンバックル４８等によって左右外側へ適宜の開度θに拡縮調節されて、所定の溝幅形成に適合するようにして、培土溝幅Ｅ、乃至溝法面Ｇを圧接して、安定した培土溝部Ａ，Ｂの左右両側法面Ｇを摺動押圧形成することができる。このような培土板５の開度調節においては、上側にリヤカバー３が無く、鎮圧作用が働かないため、培土板５の回動を容易化すると共に、前記法面Ｇに対する培土板５による仕上げ培土作用は、リヤカバー３による均平作用から遅れて行われるため、培土板５による法面Ｇに対する培土を正確に、円滑に行って、きれいに法面仕上げすることができる。
【００３８】
前記リヤカバー３は、後下端縁部に沿って耕耘幅Ｃに亘って左右水平状に均平する均平部３６を形成する。このリヤカバー３の左、右横端部の下面側に片培土器４を着脱可能の構成としている。片培土器４は、リヤカバー３の左端側、又は右端側のいずれか一側にのみ取付構成するが、図２の場合は、左、右いずれか一側部に選択的に取付け可能の構成している。この形態では、片培土器４は、培土方向が相互に反対方向になるため、培土作業に当っては、取付ける側に適応する毎の片培土器４を格別に用意する必要がある。
【００３９】
前記リヤカバー３の後下端部の左、右両側端のサイドカバー３９内側のコーナ部３７を切除した形態として、このコーナ部３７を閉鎖するように着脱するコーナカバー３８を設ける。前記片培土器４は、このコーナカバー３８の下面に一体的に取付けて、このコーナカバー３８をコーナ部３７に取付けることによって片培土器４を装着した状態とする形態としている。又、片培土器４を装着しない側のコーナ部３７（図２のリヤカバー３では右端側のコーナ部３７を示す）は、片培土器４を有しない単なるコーナカバー３８のみを取付けて、この右端部のコーナ部３７を均平可態の形態としている。
【００４０】
前記片培土器４は、図３、図４のように、前記ロータカバー２２のサイドカバー３９に沿って前後方向に形成の外側板４０と、この外側板４０の前端部から後部内側方に向けて傾斜形態に形成する培土成形板４１と、これら外側板４０と内側の培土成形板４１との後部間を連結する後端板４２と、これら外側板４０と培土成形板４１と後端板４２との間の上端部間を連結して覆う後下り傾斜の取付板４３、及び底板４７と等からなり、この取付板４３に前記コーナカバー３８をボルト締め等によって着脱可能に構成している。前記培土成形板４１の前端部には、外側板４０の前端縁との接合縁よりも前側外側へ突出する培土切込縁４４を形成して、耕耘土壌面に対する切込推進を行い易く形成している。
【００４１】
前記後端板４２の外側縁は、上端部が外側板４０よりも外側へ突出する形態に形成されて、下端部が外側板４０の下端部位置に形成される。この外側縁の後側縁に沿う傾斜ヒンジ４５の周りに左側の培土板５の前端部が回動可能に連結される。又、培土成形板４１の後端に連結する後端板４２の内側縁に沿う傾斜ヒンジ４６の周りに右側の培土板５の前端部が回動可能に連結される。これら左、右培土板５間の内側部には、ターンバックル４８形態の伸縮張設具を設けて、後端板４２に対する培土板５の後方開拡角度を広、狭に変更調節することができる。
【００４２】
前記のように、片培土器４の内側に形成の培土成形板４１は、内側面を耕耘幅側に向けて傾斜させて培土するように培土角度を有する形態とし、又、培土板５は、左、右各外側へ培土するように培土角度を有する形態としている。そして、片培土器４は耕耘土壌を耕耘部側の内側へ向けてのみ片培土する形態に構成し、培土板５は、この片培土器４の後側位置において、左右両外側部へ向けて対称状に両培土する形態に構成している。
【００４３】
次に、主として図６に基づいて、前記片培土器４の後端部には、左右培土板５間隔部の底部に均し板５３を設け、この均し板５３を片培土器４によって形成される培土溝床面に摺動、乃至押圧摺動させて、溝床面を滑面に固定化して、培土を円滑で、的確に行わせる。この均し板５３は、左右培土板５間の間隔幅一杯の広さに形成されて、前端部を片培土器４の後端板４２の後下端部に横水平方向のヒンジピン５４の周りに上下回動可能に設け（Ａ）、スプリング等によって培土板５の下端縁部と略同位置へ押圧、乃至弾発させる形態としている。前記均し板５３は、後端板４２部上のブラケット５５部との間に亘って設ける伸縮ロッド５６を、この上端部のハンドル５７を回動操作することによって伸縮して、前記ヒンジピン５４の周りに上下回動して、溝床面の均平圧力を調節可能の形態とすることができる（Ｂ）。又、前記均し板５３とブラケット５５との間に、摺動ガイドロッド５８に嵌合案内させるスプリング５９を設けて、この均し板５３を培土板５の下端縁部と同じレベル位置へ弾発する形態としている（Ｃ）。
【００４４】
又、主として、図７に基づいて、前記左右の溝尾輪２５と、畝尾輪５０は、共に接地輪幅を比較的狭く形成する狹幅輪形態に形成したり（Ａ）、片培土器４側の後部に配置の溝尾輪２５を広幅輪形態とし、他端側の畝尾輪５０を狹幅輪形態としたり（Ｂ）、左右両側の溝尾輪２５と畝尾輪５０とを共に広幅輪形態としている（Ｃ）。
【００４５】
次に、主として図８に基づいて、前記接地幅を略溝床幅と同程度に幅広く形成した（図７、Ｂ、Ｃ参照）溝尾輪２５の形態を、底面部の形状を各種異なる形状態に構成したもので、広幅輪形態に形成の溝尾輪２５の左右の輪側面６２、６３を外側へ円錐形状形態に突出、乃至膨出させて、これら突出の輪側面６２、６３で、前記片培土器４、乃至培土板５で培土成形した溝法面を鎮圧、乃至押圧して、溝法面の崩れを少なくし、安定した培土溝部を形成維持する。前記図８の溝尾輪２５の外側の輪側面６２を円錐状面形態に突出形成し（Ａ）（Ｃ）、又、溝尾輪２５の内側の輪側面６３を円錐状面形態に突出形成し（Ｂ）（Ｃ）、内外両側の輪側面６２、６３共にに突出形成する（Ｃ）ことができる。又、この円錐形状輪側面６２、６３の中央部に突出部６４を形成して漏斗状形態に形成し（Ｄ）（Ｅ）（Ｆ）、この突出部６４を外側や、内側の耕耘土壌面Ｄに対向させて培土作業を行わせる。前記培土溝部Ａの溝法面Ｇと、この頂上部の耕耘土壌面Ｄとの間の畝肩部を鎮圧できるように形成している。又、これら円錐形状の輪側面６２を外側に形成し、漏斗状の輪側面６３、６４を内側面に形成した（Ｆ）形態とすることもできる。
【符号の説明】
【００４６】
１    耕耘爪
２    耕耘爪ロータ
３    リヤカバー
４    片培土器
５    培土板
６    畝立装置
７    耕耘軸
８    トラクタ
２５    溝尾輪
５０    畝尾輪
５１    溝尾輪ハンドル
５２    畝尾輪ハンドル
【図１】
2014033636.tif 000003
【図２】
2014033636.tif 000004
【図３】
2014033636.tif 000005
【図４】
2014033636.tif 000006
【図５】
2014033636.tif 000007
【図６】
2014033636.tif 000008
【図７】
2014033636.tif 000009
【図８】
2014033636.tif 000010